(57)【要約】【課題】  一般機器の操作機構に、また特に単一の操作部材の押圧部を異ならせることにより、複数の操作スイッチを選択的に操作する操作機構に関するものであり、操作部材単体での型構造の簡易化、および操作部材周辺の省スペース化・組み立て性の向上、を目的とする。【解決手段】  操作部材に設けられる位置決め用の箇所に、該操作部材の直下に配置されたスイッチの過度な押圧を防ぐストッパー機能をも併せ持たせることにより、上記目的を達成している。【選択図】  図１
2005116294.tif 000002
【特許請求の範囲】
【請求項１】
単一の操作部材上の押圧部を異ならせることにより、前記操作部材背後の複数の操作スイッチを選択的に操作する操作機構に於いて、
前記操作部材の背後で直交する2方向に並べて配置された操作スイッチと、
前記操作スイッチが配置されている該2方向の延長線上に、2対の溝部を有する操作部材と、
前記操作スイッチが配置されている該2方向の延長線上に、2対の軸部を有する支持部材と、
から構成されることを特徴とする操作装置。
【請求項２】
単一の操作部材上の押圧部を異ならせることにより、前記操作部材背後の複数の操作スイッチを選択的に操作する操作機構に於いて、
前記操作部材に設けられた、前記支持部材に設けられた軸部と係合する箇所が、前記操作部材に押圧による過大な荷重が掛かった際に、該荷重を前記操作スイッチ以外で受ける為の荷重受部の機能をも併せ持つことを特徴とする請求項1に記載の操作装置。
【請求項３】
単一の操作部材上の押圧部を異ならせることにより、前記操作部材背後の複数の操作スイッチを選択的に操作する操作機構に於いて、
前記支持部材は本体装置における外装（筐体）であることを特徴とする請求項１〜２に記載の操作装置。
【請求項４】
単一の操作部材上の押圧部を異ならせることにより、前記操作部材背後の複数の操作スイッチを選択的に操作する操作機構に於いて、
前記支持部材に設けられる２対の軸部は、操作ボタン押圧方向に配置されることを特徴とする請求項１〜３に記載の操作装置。
【請求項５】
単一の操作部材上の押圧部を異ならせることにより、前記操作部材背後の複数の操作スイッチを選択的に操作する操作機構に於いて、
該本体装置は、外装ユニットと内部構造体ユニットから構成されており、さらに前記外装ユニットは前記操作部材と前記支持部材（外装）から構成され、前記内部構造体ユニットは前記操作スイッチと前記操作基板と固定ビスから構成されることを特徴とする請求項1〜4に記載の操作装置。
【請求項６】
単一の操作部材上の押圧部を異ならせることにより、前記操作部材背後の複数の操作スイッチを選択的に操作する操作機構に於いて、
該本体装置は、外装ユニットと内部構造体ユニットから構成されており、さらに前記外装ユニットは前記操作部材と前記支持部材（外装）から構成され、前記内部構造体ユニットは前記操作スイッチと、前記操作フレキシブル基板と、該操作フレキシブル基板を内部構造体ユニットに位置決めする為の位置決め部材と、固定ビスと、から構成されることを特徴とする請求項1〜4に記載の操作装置。
【発明の詳細な説明】
【技術分野】
【０００１】
本発明は、一般機器の操作機構に、また特に単一の操作部材の押圧部を異ならせることにより、複数の操作スイッチを選択的に操作する操作機構に関するものである。
【背景技術】
【０００２】
従来、特開2002-93288のように、一般機器において単一の操作部材の例えば、“上下左右”或いは“上下”或いは“左右”それぞれの部分を押圧することにより、異なる操作スイッチを操作することのできる操作機構が提案されている。代表的なものに所謂“十字操作キー”と称されるものがあり、携帯情報端末・オーディオ・ゲーム機器等、数多くの電子機器に用いられている。
【０００３】
これら操作キーは、その使用頻度ゆえにかなりの耐久性を要求される為、操作部材の操作感を維持するのは勿論のこと、操作ボタンそのものの信頼性・耐久性を十分満足するような操作・支持部材の設計が至上命題である。例えば、操作基板に設けられた操作スイッチを、適正荷重以上の荷重で押圧してしまうと、操作スイッチそのものの破損・機能不良を誘発してしまう可能性がある。この為、操作部材側に、スイッチの過度な押圧を防ぐ為のストッパー形状（荷重受け部）を設ける必要がある。また、操作スイッチを適正動作エリア内で押圧する為に、操作スイッチと操作部材との位置決めを確実に行うことも不可欠である。
【発明の開示】
【発明が解決しようとする課題】
【０００４】
従来例では、前記操作部材と前記外装との位置決め箇所とは別に操作部材の過度な押圧を防ぐ為のストッパー形状（荷重受け部）を設ける必要があり、この事が、操作部材単体での型構造の複雑化、および操作部材周辺の省スペース化の妨げとなっていた。
【課題を解決するための手段】
【０００５】
そこで、上記課題を解決し目的を達成する為、本発明は以下の手段を講じている。即ち,本発明では、操作部材に設けられる位置決め用の箇所に、該操作部材の直下に配置されたスイッチの過度な押圧を防ぐストッパー機能をも併せ持たせることにより、前記目的を達成することができる。
【発明の効果】
【０００６】
以上説明したように、本発明によれば、操作部材に設けられる位置決め用の溝部に、該操作部材の直下に配置されたスイッチの過度な押圧を防ぐストッパー機能をも併せ持たせた。これにより、操作部材単体での型構造の簡易化、および操作部材周辺の省スペース化を達成している。また、本出願に係る請求項５、６で述べたように、外観操作部材を筐体（外装）基準で組み立てる構成としているので、操作部材と外観部材のズレを最小とし、品位を向上させることができる。また組み立て性も良好である。
【発明を実施するための最良の形態】
【０００７】
以下に、本発明の実施の形態を、実施例に基づき図面を参照して詳細に説明する。
【実施例１】
【０００８】
図１、図２は、本発明の実施例であるところのデジタルカメラであり、それぞれカメラ正面側、背面側から見た外形図である。
【０００９】
101はカメラ正面側に設けられた外装、102は被写体像を取り込む光学系を有するレンズ部、103はストロボ部、104は光学ファインダ窓、105は各種光学センサ用に設けられた窓、106は撮影を実行するレリーズボタン、107はレンズ部102を保持する鏡筒部である。
【００１０】
108は光学式変倍機能或いはデジタル式変倍機能において、その倍率を調節操作する為のズームボタンであり、左右それぞれの端にスイッチが設けられている。
【００１１】
109は撮影画像の確認・再生、撮影条件などの各種情報を表示する為の液晶表示装置（LCD）、110は本装置の動作を制御する為に液晶表示装置109に表示されるメニューを操作・選択するスイッチ群、111はスイッチ群110同様の機能を果たし、一部材の中に4つのスイッチ押圧箇所を有する所謂十字キーである。112はカメラ背面側に備えられた外装、113はカメラ本体の電源のON/OFFを行うスイッチである。
【００１２】
図３、本発明の実施例であるところのデジタルカメラを構成する機能ブロックを並べた基本構成図である。
【００１３】
図３において1はデジタルカメラを制御し、各種データの演算を行うCPU(Central Processing Unit)である。２はCPUが動作中に各種データを格納するメモリであるRAM(Randam Access Memory)、３はCPUで実行されるプログラムや各種データを予め格納しておくROM(Read Only Memory)である。4はレンズやシャッター等を制御し、CCD(Charge Coupled Device)、CMOS(Complementary Metal-Oxide Semiconductor)等の撮像素子から得られる電子画像データにより撮影を行うカメラモジュール、５は４によって撮影された画像データをJPEG(Joint Photographic Expert Group)圧縮したり、JPEG圧縮された画像データを伸張するJPEGモジュール、６は取り外し可能な不揮発性メモリカードを接続する為のメモリカードインターフェース部、７は不揮発性メモリカードであり、４のJPEGモジュールによって圧縮された画像データを画像ファイルとして保存する。
【００１４】
８は本デジタルカメラに設けられた液晶表示装置（LCD：Liquid Crystal Display）に撮影画像、再生画像等の表示を行うビデオモジュール、9は、本体に備えられた不揮発性メモリ或いは取り外し可能な不揮発性メモリカードに保存された撮影データを印刷する為のプリントモジュール、10は本装置をユーザーが操作する為のボタンの状態を読み取るユーザーインターフェースモジュール、11は本装置を動作させる為の電源を供給するバッテリモジュールである。
【００１５】
図４は本発明の詳細な説明図であり、図２におけるA部をカメラ背面側外装112の内側から見たものである。同図により各構成部材を説明する。
【００１６】
201は操作部材(=前記十字キー111)であり、202は操作部材に設けられた溝部、203は操作部材に設けられた荷重受け部である。また、204はボタン押圧部である。
【００１７】
205は前記操作部材の支持部材であり、装置本体の外装（筐体）でもある。
【００１８】
206は前記支持部材（外装）に設けられた軸部であり、操作部材201が有する前記溝部202に対応する位置に配置されている。
【００１９】
207は操作基板であり、基板207上には操作スイッチ208が載せられている。勿論、操作スイッチ208はボタン押圧部204の直下に配置されている。
操作部材201の支持部材205への位置決めは、図中水平方向に対しては202-c、202-dによって行われ、垂直方向に対しては202-a、202-bによって行われる。
【００２０】
図５は、操作スイッチが押圧された状態での、操作部材と操作基板・操作スイッチの断面図である。
【００２１】
本図に示すように、操作スイッチが押圧された状態から更に押し込まれた場合、前記荷重受け部203が操作基板207に面受けする。
【００２２】
これにより、操作スイッチに過剰に加えられた荷重による操作スイッチそのものの破損・機能不良を防ぐことができる。
【００２３】
前記操作部材と外装の位置決め用の溝202と、荷重受け部203は、従来のように（位置決めと荷重受け部が）別々に設けられているのではなく、一体で両者の役割を担っている。
【図面の簡単な説明】
【００２４】
【図１】本発明の実施例におけるデジタルカメラの斜視図（正面側）
【図２】本発明の実施例におけるデジタルカメラの斜視図（背面側）
【図３】本発明の実施例におけるデジタルカメラの機能ブロック図
【図４】本発明を適用した実施例における、操作部材と支持部材の全体図
【図５】操作スイッチが押圧された状態での、操作部材と操作基板・操作スイッチの断面図
【図６】図５におけるＢ部の詳細図
【符号の説明】
【００２５】
１  CPU
２  RAM
３  ROM
４  カメラモジュール
５  JPEGモジュール
６  不揮発性メモリカードIF部
７  不揮発性メモリカード
８  ビデオモジュール
９  プリンタモジュール
１０  UIモジュール
１１  バッテリモジュール
１０１  外装部（正面側）
１０２  レンズ部
１０３  ストロボ部
１０４  光学ファインダ窓
１０５  光学センサ窓
１０６  レリーズボタン
１０７  鏡筒部
１０８  ズームボタン
１０９  液晶表示装置（LCD）
１１０  各種操作ボタン群
１１１  十字ボタン
１１２  外装部（背面側）
１１３  電源ON/OFF ボタン
２０１  操作部材（=111）
２０２  溝部（位置決め部）
２０３  荷重受け部
２０４  ボタン押圧部
２０５  支持部材（=112）
２０６  軸部（位置決め部）
２０７  操作基板
２０８  操作スイッチ
【図１】
2005116294.tif 000003
【図２】
2005116294.tif 000004
【図３】
2005116294.tif 000005
【図４】
2005116294.tif 000006
【図５】
2005116294.tif 000007
【図６】
2005116294.tif 000008